(57)【要約】  【課題】  大気圧から排気する真空ポンプにおいて、構成を複雑化することなく軸受に加わるスラスト荷重を軽減させること。  【解決手段】  作用する圧力の差によりロータ軸４に加わるスラスト荷重を補助するための荷重補助構成１２を設ける。荷重補助構成１２は、ロータ軸４に対して、このロータ軸４と同心的に固着された板状部材１３と、ヨーク１６に固着された環状永久磁石１４、１５を備え、これら２つの環状永久磁石１４、１５によって、磁界が形成されている。そして、環状永久磁石１４、１５によって形成された磁界に作用する磁力によって板状部材１３が環状永久磁石１４、１５の方向へ吸引されるように構成されている。このように、荷重補助構成１２による吸引力をスラスト荷重を打ち消す向きにさせることにより、スラスト軸受１１に加わる荷重を低減させることができる。  【選択図】  図１
2006057505.tif 000002
【特許請求の範囲】
【請求項１】
吸気口から吸入した気体を、排気口から大気圧で排気する真空ポンプであって、
前記吸気口および前記排気口を有するケーシングと、
前記ケーシングに内包された気体移送機構を構成し、回転軸に固定された、前記吸気口側領域の圧力と前記排気口側領域の圧力との差圧が作用する回転体と、
前記回転軸に加わるスラスト荷重を受けるスラスト軸受と、
前記スラスト軸受に作用するスラスト荷重の向きと対向する向きの加勢力を、前記回転軸に作用する加勢手段と、
を具備することを特徴とする真空ポンプ。
【請求項２】
前記加勢手段は、前記回転軸を前記スラスト軸受に作用するスラスト荷重の向きと対向する向きに吸引力を作用する吸引手段により形成され、
前記吸引手段は、前記回転軸から垂直に張り出した板状部材と、前記ケーシングに固定された、前記板状部材を吸引する磁石部材と、から構成されていることを特徴とする請求項１記載の真空ポンプ。
【請求項３】
前記板状部材と、前記磁石部材との隙間長を調整する隙間調整手段を備えたことを特徴とする請求項２記載の真空ポンプ。
【請求項４】
前記スラスト軸受は、転がり軸受または流体軸受であることを特徴とする請求項１、請求項２または請求項３記載の真空ポンプ。
【請求項５】
前記磁石部材は、一対以上のリング状永久磁石で構成されていることを特徴とする請求項２、請求項３または請求項４記載の真空ポンプ。
【発明の詳細な説明】
【技術分野】
【０００１】
本発明は、大気圧以下の低圧力あるいは真空状態を作り出すための真空ポンプに関し、特に大気圧から排気する真空ポンプに関する。
【背景技術】
【０００２】
大気圧以下の低圧力あるいは高真空状態を作り出すために気体を大気側へ排出する真空ポンプには、回転運動等の機械的な原理を利用したものがある。このような機械式ポンプに分類されるポンプには、例えば、油回転ポンプ、スクリュー型ドライポンプ、ドライベーンポンプ、ルーツポンプ、ターボポンプ、ネジ溝ポンプ、ターボ分子ポンプ等がある。
この種の回転運動を利用した機械式ポンプにおいては、回転軸に固定された回転部と、ケーシング（ハウジング）等の筐体に固定された固定部との間でガスの圧縮処理が行われる。なお、ここで示すガスの圧縮処理とは、吸気口から導入された気体を排気口まで移送する気体移送処理を示す。
【０００３】
ここで、回転運動を利用した機械式ポンプの中で、大気圧からの排気が可能な真空ポンプの一例として、ターボ型真空ポンプについて説明する。
図４は、従来のターボ型真空ポンプの概略構成を示した図である。
図４に示すターボ型真空ポンプは、吸気口２および排気口３が設けられた、外装体を形成する円筒形状のケーシング１を備え、このケーシング１の内部には、排気機能を発揮させる構造物が収納されている。
これら排気機能を発揮する構造物は、大きく分けて回転自在に軸支されたロータ部とケーシング１に対して固定されたステータ部から構成される。
ロータ部は、ロータ軸４、ロータ軸４にボルト等の締結部材によって固定されたロータ５、さらにロータ５の外周側面から放射状にかつ多段にロータ翼６が配設されている。一方、ケーシング１の内周面には、ステータ翼７が多段に配設されている。
【０００４】
ターボ型真空ポンプは、ロータ軸４を高速回転させるためのモータ部８を備え、モータ部８の作用によりロータ部が高速回転すると、ロータ翼６とステータ翼７との作用により気体が吸気口２から吸引され、排気口３から排出されるようになっている。
また、図４に示すように、ターボ型真空ポンプは、ロータ軸４を軸支するための軸受が設けられている。ラジアル軸受９、１０は、ロータ軸４にかかるラジアル荷重を受ける軸受である。スラスト軸受１１は、ロータ軸４にかかるアキシャル荷重を受ける軸受である。
なお、ラジアル軸受９、１０は、転動体が玉である玉軸受、または、転動体がころであるころ軸受によって構成されており、スラスト軸受１１は、動圧ガス軸受によって構成されている。
【０００５】
ところで、このように大気圧から排気するターボ型真空ポンプでは、排気口３が大気中にあるため、ロータ５の内周面領域には、大気圧が作用するようになっている。一方、ロータ５の吸気口２と対向する領域には、真空圧（低圧力）が作用するようになっている。つまりロータ軸４には、作用する圧力（真空と大気圧）の差によって、アキシャル方向（スラスト方向）に大きな力が作用してしまう。そのため、スラスト軸受１１には、例えば、２ＫＮ（２００ｋｇｆ）近いスラスト荷重がかかってしまうことになる。
このようにスラスト軸受１１に加わる負荷が大きくなると、このスラスト荷重を十分に支承するために軸受を大型化しなければならない等の不具合が生じてしまう。
そこで、従来、このような軸受に加わるスラスト荷重を低減させるための技術が、下記の特許文献をはじめ種々提案されている。
【０００６】
【特許文献１】特開２０００−２７４３９３公報
【特許文献２】特開２００１−２０７９９２公報
【０００７】
特許文献１には、回転体の下面の空間を大気圧より低い圧力の状態とすることによって、回転体に作用する圧力の差圧を小さくし、そして、回転体を吸気口側へ付勢するスラスト力を軽減することによって、スラスト軸受に加わるスラスト荷重を軽減する技術が提案されている。詳しくは、円周流ポンプ部の最終段（下流段）にモータ室を真空するための逆向きのブレードを設けた逆向円周流ポンプを配設する。
このように、逆向円周流ポンプを設けてモータ室を低圧状態とすることによって、スラスト軸受に加わるスラスト荷重を軽減することができるため、スラスト軸受の小型化、モータの小型化を図ることができる。
【０００８】
特許文献２には、真空ポンプ内部の吸気口側と排気口側とをケーシングの外部に設けた連通管によって連通可能とし、さらに連通管の開口度の調節が開閉弁によってできるようにした技術が提案されている。詳しくは、開閉弁を動作させてターボ型ポンプ機構の前後の差圧を所定以上ならないように調節することによって、アキシャル方向の負荷を軸受の許容範囲内に調整する。
このように、ロータ部に作用する圧力の差圧を適正な値となるように調節可能とすることにより、スラスト軸受に加わる荷重の増大を抑制することができる。
【発明の開示】
【発明が解決しようとする課題】
【０００９】
しかしながら、特許文献１で提案されている真空ポンプにおいては、モータ室が低圧力状態（真空状態）となるため、モータ室内における放電を防ぐための絶縁対策が必要となり、構成が複雑化してしまう。
また、真空状態で動圧流体軸受を用いる場合には、特別なシール構造が必要になる。
一方、特許文献２で提案されている真空ポンプにおいては、開閉弁を介して気体の逆流が生じて真空の質が悪化し、高真空状態を保持することが困難となるおそれがある。
【００１０】
そこで、本発明は、大気圧から排気する真空ポンプにおいて、ポンプ内部の圧力を操作することなく、また、ポンプ構成を複雑化することなく軸受に加わるスラスト荷重を軽減させることができる真空ポンプを提供することを目的とする。
【課題を解決するための手段】
【００１１】
請求項１記載の発明では、吸気口から吸入した気体を、排気口から大気圧で排気する真空ポンプであって、前記吸気口および前記排気口を有するケーシングと、前記ケーシングに内包された気体移送機構を構成し、回転軸に固定された、前記吸気口側領域の圧力と前記排気口側領域の圧力との差圧が作用する回転体と、前記回転軸に加わるスラスト荷重を受けるスラスト軸受と、前記スラスト軸受に作用するスラスト荷重の向きと対向する向きの加勢力を、前記回転軸に作用する加勢手段と、を具備することにより前記目的を達成する。
なお、請求項１記載の発明では、加勢手段は、例えば、回転軸をスラスト軸受に作用するスラスト荷重の向きと抗する向きに反発力を作用させる反発手段により形成するようにしてもよい。また、この場合、反発手段は、例えば、回転軸から垂直に張り出した板状の永久磁石と、板状永久磁石に反発力を作用させる永久磁石または電磁石等の磁石部材と、から構成するようにしてもよい。
【００１２】
請求項２記載の発明では、請求項１記載の発明において、前記加勢手段は、前記回転軸を前記スラスト軸受に作用するスラスト荷重の向きと対向する向きに吸引力を作用する吸引手段により形成され、前記吸引手段は、前記回転軸から垂直に張り出した板状部材と、前記ケーシングに固定された、前記板状部材を吸引する磁石部材と、から構成されている。
なお、請求項２記載の発明では、磁石部材を、例えば、永久磁石や電磁石によって構成することが望ましい。
また、請求項２記載の発明では、板状部材は、例えば、円板状をしており、鉄等の磁力によって吸い付けられる性質を有する金属または磁性体によって構成することが望ましい。
【００１３】
請求項３記載の発明では、請求項２記載の発明において、前記板状部材と、前記磁石部材との隙間長を調整する隙間調整手段を備える。
なお、請求項３記載の発明では、隙間調整手段を、例えば、磁石部材の固定位置を調整する調整ネジによって構成することが望ましい。
【００１４】
請求項４記載の発明では、請求項１、請求項２または請求項３記載の発明において、前記スラスト軸受は、転がり軸受または流体軸受である。
【００１５】
請求項５記載の発明では、請求項２、請求項３または請求項４記載の発明において、前記磁石部材は、一対以上のリング状永久磁石で構成されている。
【発明の効果】
【００１６】
本発明によれば、スラスト軸受に作用するスラスト荷重の向きと反対向きに加勢力を作用する加勢手段を備えることにより、スラスト軸受に加わるスラスト荷重を軽減させることができるため、スラスト軸受の小型化を図ることが可能になる。
また、スラスト軸受が転がり軸受によって構成されている場合においては、軸受に加わるスラスト荷重を軽減させることにより、スラスト荷重による摩擦力が低減されるため軸受寿命を延ばすことができる。
磁石部材を一対以上のリング状永久磁石で構成することにより、磁気回路が閉ループとなり磁束の洩れを抑制することができ、さらに、回転による磁束密度の変化がないので誘導電流による発熱を抑制することができる。
【発明を実施するための最良の形態】
【００１７】
以下、本発明の好適な実施の形態について、図１〜図３を参照して詳細に説明する。
図１は、本実施の形態に係るターボ型真空ポンプの概略構成を示した図である。
なお、図１はターボ型真空ポンプ全体の縦断面を示し、また、前述した図４に示す従来技術と重複する箇所については、同一の符号を用いて説明する。
本実施の形態では、真空ポンプの一例として、ターボ分子ポンプ部からなるタイプの真空ポンプを例に説明する。
また、本実施の形態に係るターボ型真空ポンプは、気体を大気圧から排気する真空ポンプであり、スラスト軸受部分が大気中に配置されている。即ち、ターボ型真空ポンプの回転軸（シャフト）が真空中と大気中とに渡って配設されている。
そのため、本実施の形態に係るターボ型真空ポンプにおいては、その内部に真空圧（低圧力）と大気圧（１気圧）の双方の圧力が作用するように構成されている。
【００１８】
以下にターボ型真空ポンプの概略構成について説明する。
本実施の形態に係るターボ型真空ポンプは、吸気口２および排気口３が設けられた、外装体を形成する円筒形状のケーシング１を備え、このケーシング１の内部には、排気機能を発揮させる構造物が収納されている。
これら排気機能を発揮する構造物は、大きく分けて回転自在に軸支されたロータ部とケーシング１に対して固定されたステータ部から構成される。
【００１９】
ターボ型真空ポンプは、ロータ軸４の軸方向の略中央部にモータ部８を備え、このモータ部８は、ロータ軸４を高速回転させるためのトルクを発生する。
本実施の形態では、一例としてモータ部８はＤＣブラシレスモータであるとする。
モータ部８は、ロータ軸４に固着された２つの永久磁石と、当該永久磁石の周囲に所定のクリアランスを隔ててケーシング１に対して固定された複数の電磁石から構成されている。
ロータ軸４の２つの永久磁石は、ロータ軸４の周囲に１８０度ごとにＮ極とＳ極が表面に現れるように磁極を違えて固着されている。また、永久磁石の周囲に配設された電磁石は例えば６個からなり、モータ部８の制御装置により極性や界磁の大きさを変化させることができるようになっている。
モータ部８の図示しない制御装置は当該電磁石の磁極を順次切り替えることによりロータ軸４の周囲に回転磁界を生成する。
【００２０】
ロータ軸４の回転位相を非接触で検出するセンサがロータ軸４の下端に設置してあり、モータ部８の制御装置は、当該センサで検出したロータ軸４の回転位相によって磁界の回転をフィードバック制御する。
これによってロータ軸４に固着されている永久磁石が回転磁界に吸引されてトルクを生じ、ロータ軸４は、軸回りに回転する。
本実施の形態ではモータ部８はＤＣブラシレスモータによって構成されているものとしたが、これに限定するものではなく、誘導モータなど他の種類のモータによって構成してもよい。
【００２１】
ロータ部を構成するロータ５は、ロータ軸４の吸気口２側にボルト等の締結部材などによって取り付けられている。ロータ５の周囲にはアルミなどで形成されたロータ翼６が放射状にかつ多段に形成されている。
ターボ型真空ポンプの外装体を形成するケーシング１の内周には、アルミなどで形成されたステータ翼７が多段に、またロータ翼６と互い違いになるように構成されている。ケーシング１は、ステンレスなどにより形成されている。
そしてロータ翼６がモータ部８によって駆動されて高速回転すると、ロータ翼６とステータ翼７の作用により気体が吸気口２から吸引され、排気口３から排出される。このように、高速回転可能なロータ翼６とステータ翼７は、気体移送機構を形成している。
【００２２】
図１に示すように、本実施の形態に係るターボ型真空ポンプには、ロータ軸４を軸支するための軸受が設けられている。
ラジアル軸受９、１０は、ロータ軸４の回転を案内し、ロータ軸４にかかるラジアル荷重を支持する軸受である。即ち、ロータ軸４の回転をラジアル方向（軸の半径方向）に支持するベアリングである。
ラジアル軸受９、１０は、転動体が玉である玉軸受、または、転動体がころであるころ軸受により構成されている。
なお、ラジアル軸受９、１０は、このような転がり軸受に限定されるものではなく、ジャーナル軸受または流体軸受によって構成するようにしてもよい。
【００２３】
スラスト軸受１１は、ロータ軸４にかかるアキシャル荷重を支持する軸受であり、即ち、ロータ軸４の回転をスラスト方向（軸方向）に支持する軸受である。
スラスト軸受１１は、ロータ軸４が滑り運動によって流体膜の上に浮く動圧流体軸受（流体軸受）により構成されている。
なお、動圧流体軸受は、その特性上真空状態で用いる場合には、特別なシール構造が必要である。そのため、動圧流体軸受は、大気中で用いられることが望ましい軸受である。
また、本実施の形態に係るターボ型真空ポンプには、ロータ軸４をケーシング１に対して回転自在に軸支する軸受部２５を備えている。この軸受部２５もまた、アキシャル方向（スラスト方向）の荷重を受けるスラスト軸受の一種である。
この軸受部２５は、スタート、ストップ時など差圧が加勢磁石の力より小さい時にスラスト荷重を受ける。この機構によりスラスト軸受１１は、上向き（吸気口２向き）のスラスト荷重のみを受けるようにすることができる。これにより、スタート時の起動トルクを小さくすることができる。
【００２４】
なお、本実施の形態に係るターボ型真空ポンプでは、スラスト軸受１１を動圧ガス軸受によって構成するようにしているが、これに限られるものではなく、例えば、ラジアル軸受９、１０と同様に、転動体が玉である玉軸受、または、転動体がころであるころ軸受により構成するようにしてもよい。
また、ラジアル方向およびスラスト方向、即ち両方向の荷重（または合成荷重）を同時に受けることができる軸受、例えば、異なる種類の転がり軸受を用いた組合せタイプの軸受を用いるようにしてもよい。
【００２５】
ところで、本実施の形態に係るターボ型真空ポンプでは、大気圧から排気するために排気口３が大気中に存在するように構成されている。ロータ５の内周面領域には、大気圧が作用するようになっている。一方、ロータ５の吸気口２と対向する領域には、真空圧（低圧力）が作用するようになっている。
つまりロータ軸４およびロータ５は、真空中と大気中に渡って配設されている。
例えば、ロータ軸４およびロータ５に、吸気口２側の領域で１０Ｔｏｒｒの気圧が作用する一方で、その反対方向から大気圧（１気圧）が作用する。
そのため、ロータ軸４には、作用する圧力の差（真空と大気圧）によって、アキシャル方向（スラスト方向）に大きな力が作用するようになっている。
そこで、本実施の形態に係るターボ型真空ポンプでは、ロータ軸４に作用するアキシャル方向（スラスト方向）の荷重を補助するための荷重補助構成１２が設けられている。なお、この荷重補助構成１２により加勢手段が構成されている。
この荷重補助構成１２は、スラスト軸受１１の下部、即ち、吸気口２の反対方向であり、大気圧が作用する領域（空間）に設けられている。
【００２６】
次に、この荷重補助構成１２について説明する。
図２は、荷重補助構成１２の構成の斜視断面を示した図である。
図３は、荷重補助構成１２を組み立てた状態における断面を示した図である。
荷重補助構成１２は、板状部材（スラスト板）１３、環状永久磁石１４、１５、ヨーク１６、固定フランジ１７、引きネジ１８、押しネジ１９によって構成されている。
板状部材１３は、ロータ軸４に対して、このロータ軸４と同心的に固着された、または、ロータ軸４から垂直方向に張り出した磁性体で形成された円板である。
そして、板状部材１３の下部には、この板状部材１３をスラスト軸受に作用するスラスト荷重の向きと抗する向き（反対向き）に吸引する磁石部材が設けられている。
【００２７】
磁石部材は、軸方向に厚みを有する、径の異なる２つの環状（リング状、筒状）の環状永久磁石１４、１５および軸方向に厚みを有する円板状のヨーク１６によって構成されている。
ヨーク１６は、その中心部分にロータ軸４を貫入させる同心円形の穴が形成された磁性体により構成されている。
径の小さい方の環状永久磁石１４は、その内周がヨーク１６に形成された同心円形の穴の周に沿う位置に配置されている。
一方、径の大きい方の環状永久磁石１５は、環状永久磁石１４の外側（外周）の領域であって、その外周がヨーク１６の外周に沿う位置に配置されている。
【００２８】
なお、環状永久磁石１４、１５は、磁石の吸引力によってヨーク１６に固定されている。
また、ヨーク１６には、このヨーク１６をステータ側、即ちケーシング１側に固定するためのボルトを嵌め込むネジ孔２０が複数形成されている。
このネジ孔２０は、ヨーク１６において環状永久磁石１４、１５が配置される領域を避けた位置、即ち、環状永久磁石１４および環状永久磁石１５との間の領域に形成されている。
【００２９】
また、環状永久磁石１４は、板状部材１３と対向する側にＮ極、その反対側にＳ極が形成されている。一方、環状永久磁石１５は、板状部材１３と対向する側にＳ極、その反対側にＮ極が形成されている。
そして、これら２つの環状永久磁石１４、１５によって、図３の破線に示す向きに磁界が形成されている。環状永久磁石１４、１５によって形成された磁界に作用する磁力によって板状部材１３が環状永久磁石１４、１５の方向へ吸引されるように構成されている。
なお、一対の環状永久磁石１４、１５の表面の面積は、環状永久磁石１４、１５の表面における磁束密度を等しくするために、即ち、漏れ磁束を抑制するために（最小にするために）、等しく形成されていることが望ましい。
さらに、環状永久磁石１４、１５および板状部材１３は、板状部材１３内の磁束密度の変化を抑えるために同心円上に配設されている。これにより、磁束密度の変化により発生する誘導起電力による発熱を低減させることができる。
【００３０】
板状部材１３と環状永久磁石１４、１５とは、図３に示すように、ギャップ（隙間）ａを介して、即ち非接触状態で配置されている。そして、環状永久磁石１４、１５が板状部材１３を吸引する吸引力は、このギャップａの長さを変えることによって変更することができる。
ギャップａの長さは、例えば、０．２〜１．０ｍｍ程度に設定されている。なお、ギャップａの長さの調整方法については後述する。
【００３１】
固定フランジ１７は、環状永久磁石１４、１５が固着されたヨーク１６をステータ側、即ちケーシング１に固定するための固定部である。
固定フランジ１７は、ケーシング１の内周壁から垂直方向にロータ軸４の中心方向（径方向）に延びるように形成されたフランジ状の突起部である。
固定フランジ１７は、その中心部分にロータ軸４を貫入させるための同心円形状の空間領域が設けられている。
また、固定フランジ１７は、ヨーク１６をステータ側、即ちケーシング１側に固定するためのボルトを貫入させるボルト孔２１、および、ヨーク１６の位置を固定する際に用いられるボルトを貫入させるネジ孔２２が複数形成されている。固定フランジ１７は非磁性体の部材により形成されている。
【００３２】
次に、環状永久磁石１４、１５が固着されたヨーク１６を固定フランジ１７に固定する方法について説明する。
上述したように、環状永久磁石１４、１５が板状部材１３を吸引する吸引力は、環状永久磁石１４、１５と板状部材１３とのギャップ（隙間）ａの長さに伴って変化する。そのため、ヨーク１６を固定フランジ１７に固定した時点で、予め計算された吸引力を作用させることが可能なギャップ（隙間）ａとなるように、ヨーク１６と固定フランジ１７との間隔ｂを調整する。
予め、ギャップ（隙間）ａが所定の値（ターゲット値）となる、ヨーク１６と固定フランジ１７との間隔ｂを算出する。
はじめに、引きネジ（ボルト）１８を嵌め込み、ヨーク１６を固定フランジ１７に密着するように固定した状態で固定フランジ１７をケーシング１に固定する。この状態でヨーク１６は磁石の吸引力で上に（吸気口２側に）引かれている。そして、引きネジ１８を所定のギャップａになるように均一に緩めていく。この時、ヨーク１６は、磁石の吸引力で磁石と一体で固定フランジ１７から離れていく。最後に押しネジ１９を締めて固定する。
【００３３】
このように、本実施の形態では、引きネジ（ボルト）１８および押しネジ（ボルト）１９を用いて、板状部材１３と、環状永久磁石１４、１５とのギャップ（隙間）ａを調整する隙間調整手段を構成することにより、ギャップ（隙間）ａの調整を容易にすることができる。
【００３４】
なお、本実施の形態においては、荷重補助構成１２を磁石による吸引力を用いて構成しているが、荷重補助構成１２はこれらに限定されるものではなく、ロータ軸４に加勢力を作用させることによってアキシャル方向（スラスト方向）の荷重を補助することができるものであればよい。例えば、磁石による反発力を用いてロータ軸４に加勢力を作用させるような構成であってもよい。つまり、回転軸をスラスト軸受に作用するスラスト荷重の向きと抗する向きに反発力を作用させる反発手段により形成するようにしてもよい。
また、この場合、反発手段は、例えば、回転軸から垂直に張り出した板状の永久磁石と、板状永久磁石に反発力を作用させる永久磁石または電磁石等の磁石部材と、から構成することが望ましい。
【００３５】
本実施の形態によれば、荷重補助構成１２を設けることにより、ターボ型真空ポンプの運転時にロータ軸４に作用する圧力の差（真空と大気圧）によって生じるスラスト荷重を、荷重補助構成１２により作用する吸引力によって減少させることができる。これにより、スラスト軸受１１に加わる荷重を低減させることができるため、スラスト軸受１１の小型化を図ることができる。
例えば、スラスト軸受１１が動圧流体軸受によって構成されている場合には、流体を作用させるための円板の径が大きくなると、径の４乗に比例して回転イナーシャ（モーメント）が増大してしまうことになる。しかし、スラスト軸受１１が担う荷重を低減することにより、適切にスラスト軸受１１の小型化を図ることができる。
【００３６】
また、スラスト軸受１１が大きくなると、軸受におけるギャップの平坦度を適正値に保持することが困難になるおそれがあるが、スラスト軸受１１の小型化が図れることにより、軸受におけるギャップの平坦度を適正値に保持することが容易にできる。
また、スラスト軸受１１が転がり軸受によって構成されている場合においては、軸受に加わるスラスト荷重を軽減させることにより、スラスト荷重による摩擦力が低減されるためスラスト軸受１１の寿命を延ばすことができる。
【図面の簡単な説明】
【００３７】
【図１】本実施の形態に係るターボ型真空ポンプの概略構成を示した図である。
【図２】荷重補助構成の構成の斜視断面を示した図である。
【図３】荷重補助構成を組み立てた状態における断面を示した図である。
【図４】従来のターボ型真空ポンプの概略構成を示した図である。
【符号の説明】
【００３８】
１  ケーシング
２  吸気口
３  排気口
４  ロータ軸
５  ロータ
６  ロータ翼
７  ステータ翼
８  モータ部
９  ラジアル軸受
１０  ラジアル軸受
１１  スラスト軸受
１２  荷重補助構成
１３  板状部材
１４  環状永久磁石
１５  環状永久磁石
１６  ヨーク
１７  固定フランジ
１８  引きネジ
１９  押しネジ
２０  ネジ孔
２１  ボルト孔
２２  ネジ孔
２５  軸受部
【図１】
2006057505.tif 000003
【図２】
2006057505.tif 000004
【図３】
2006057505.tif 000005
【図４】
2006057505.tif 000006